(57)【特許請求の範囲】
【請求項１】
その表面に内接する正八面体の１２本の辺が表面に投影されることにより仮想的に形成された１２本の区画線によって表面が８個の球面正三角形に区画されるとともに３本の大円が形成され、この球面正三角形に複数のディンプルが配置されるとともにこの３本の大円はいずれもディンプルと交差するように構成されたゴルフボールであって、
表面に位置する正八面体の６個の頂点のいずれにおいても、この頂点を共有する４個の球面正三角形のディンプルパターンは同一でなく、
表面に位置する正八面体の６個の頂点のいずれにおいても、この頂点を共有して対峙する２個の球面正三角形のディンプルパターンは、この頂点を通過するいかなる直線に対しても互いに線対称でなく、この頂点に対して点対称でもなく、
１２本の区画線のいずれにおいても、この区画線を共有する２個の球面正三角形のディンプルパターンは、この区画線に対して互いに線対称でなく、この区画線の中点に対して点対称でもなく、
上記８個の球面正三角形のいずれにおいても、その内部のディンプルパターンが、この球面正三角形の重心に対して回転対称でなく、かついかなる直線に対しても線対称でないことを特徴とするゴルフボール。
【請求項２】
上記１２本の区画線のいずれもがディンプルと交差する請求項１に記載のゴルフボール。
【請求項３】
上記８個の球面正三角形のいずれにおいても、その内側に配置されたディンプルの数が４０個以上５５個以下である請求項１又は請求項２に記載のゴルフボール。
【請求項４】
上記８個の球面正三角形のうち、その内側に配置されたディンプルの数が最大である球面正三角形におけるディンプル数と、その内側に配置されたディンプルの数が最小である球面正三角形におけるディンプル数との差が４個以下である請求項１から請求項３のいずれか１項に記載のゴルフボール。
【請求項５】
上記区画線上にその中心が位置するディンプルが全く存在しない請求項１から請求項４のいずれか１項に記載のゴルフボール。
【請求項６】
上記１２本の区画線によって形成された３本の大円のうちの１本が、半球状キャビティを備えた一対のゴルフボール成形金型のパーティングラインに相当する部分であるシームと略一致する請求項１から請求項５のいずれか１項に記載のゴルフボール。
【発明の詳細な説明】
【０００１】
【発明の属する技術分野】
本発明はゴルフボールに関するものであり、特にゴルフボールのディンプルパターンに関するものである。
【０００２】
【従来の技術】
ゴルフボールは、その表面に３００個から５５０個程度のディンプルを備えている。ディンプルの役割は、ゴルフボール飛行時にゴルフボール周りの空気の流れを乱すことによって境界層の乱流遷移を促進し、乱流剥離を起こさせることにある（以下「ディンプル効果」とも称される）。乱流遷移の促進により空気のゴルフボールからの剥離点が後方に下がり、圧力抵抗が小さくなってゴルフボールの飛距離が増大する。また、乱流遷移の促進により、バックスピンに起因するゴルフボールの上側と下側とにおける剥離点の差が助長され、ゴルフボールに作用する揚力が高められる。従って、乱流遷移を促進しやすいディンプルパターン、すなわち空気の流れをよりよく乱すことができるディンプルパターンほど、空力的に優れたものであるといえる。
【０００３】
ディンプルの配置には、正多面体又は準正多面体（以下併せて「多面体」とも称される）が用いられることが多い。すなわち、球に内接する多面体が想定され、球中心から球面に放射される光線によって多面体の辺が球面に投影されて区画線が形成され、この区画線によって球面が区画されてディンプルが配置される。用いられる多面体としては、正六面体、正八面体、正十二面体、正二十面体、立方八面体、１２・２０面体等が挙げられる。
【０００４】
これらの中でも正八面体は、配置されるディンプルが整然と並んで美しい等の理由により、ゴルフボールに古くから用いられてきた。正八面体の１２本の辺が投影された１２本の区画線は、３本の大円（以下、「区画大円」とも称される）を形成する。これらの区画大円は、互いに直交する。１２本の区画線によって（すなわち３本の区画大円によって）、球面は８個の球面正三角形に区画される。ディンプルは、各球面正三角形毎に配置される。このようなディンプル配置方法は、正八面体配置と称されている。通常は、ディンプルは球面正三角形の内部に配置され、１２本の区画線とは交差しない。従って、３本の区画大円もディンプルと交差せず、この区画大円に相当する部分はディンプルの存在しない大円帯となる。大円帯の存在により、例えばパッティング時の方向合わせが容易であるというメリットが生じる。
【０００５】
ところでゴルフボールは、ともに半球状キャビティを備えた上型及び下型から成形される。成形されたゴルフボール表面の、上型と下型とのパーティングラインに相当する部分（いわゆるシーム）には、バリが発生する。このバリは、砥石等で研削・除去される。通常の正八面体配置では、３本の大円帯のうちの１本がシームと一致する。これにより、シーム上にディンプルが存在せず、バリの除去が容易となる。このようなゴルフボールは、例えば特開昭６０−１１６６５号公報等に開示されている。
【０００６】
このような正八面体配置のゴルフボールではシーム上にディンプルが存在しないので、このシーム（大円帯でもある）がバックスピンの周速が最も早い部分（以下「最速部分」とも称される）と一致したときのディンプル効果が不十分となりやすい。また、前述のようにシーム上のバリは研削によって除去されるが、除去時にゴルフボール表面のシーム近傍が一緒に研削され、ディンプルが変形してディンプル効果が減じられてしまうおそれもある。さらに、シームの左右のディンプルパターンは同一又は等価であり、またゴルフボール回転時にシームに沿って同一又は等価なディンプルパターンが繰り返し出現するので、これに起因してシームが最速部分と一致したときのディンプル効果が不十分となりやすい。すなわち、このような正八面体配置のゴルフボールでは、
（１）ディンプルが存在しない大円帯である、
（２）バリの研削により周囲のディンプルが変形するおそれがある
及び
（３）回転によって出現するディンプルパターンが単調である
という３点の悪条件全てが、シーム上で実現されてしまっているのである。
【０００７】
また、上記の（１）から（３）のうち（１）及び（３）の不都合は、シームのみならず、他の２本の大円帯が最速部分と位置したときにも見られる。
【０００８】
特開平１１−７０１８６号公報には、区画大円上にディンプルが配置された正八面体配置のゴルフボールが開示されている。このゴルフボールでは大円帯が形成されないので、上記（１）の不都合は解消される。しかし、依然として、シームには上記（２）及び（３）の不都合が残る。また、シーム以外の２本の区画大円についても、上記（３）の不都合が残る。
【０００９】
【発明が解決しようとする課題】
本発明はこのような問題に鑑みてなされたものであり、正八面体配置されたディンプルパターンを備えたものでありながら、区画大円が最速部分と一致したときのディンプル効果の低減が抑制されたゴルフボールの提供を目的とするものである。
【００１０】
【課題を解決するための手段】
上記の目的を達成するためになされた発明は、
その表面に内接する正八面体の１２本の辺が表面に投影されることにより仮想的に形成された１２本の区画線によって表面が８個の球面正三角形に区画されるとともに３本の大円が形成され、この球面正三角形に複数のディンプルが配置されるとともにこの３本の大円はいずれもディンプルと交差するように構成されたゴルフボールであって、
表面に位置する正八面体の６個の頂点のいずれにおいても、この頂点を共有する４個の球面正三角形のディンプルパターンは同一でなく、
表面に位置する正八面体の６個の頂点のいずれにおいても、この頂点を共有して対峙する２個の球面正三角形のディンプルパターンは互いに線対称でも点対称でもなく、
１２本の区画線のいずれにおいても、この区画線を共有する２個の球面正三角形のディンプルパターンは互いに線対称でも点対称でもないことを特徴とするゴルフボール、
である。
【００１１】
このゴルフボールでは、後に詳説されるように、区画大円が最速部分と一致したとき、区画大円の左右の球面正三角形のディンプルパターンが同一でも等価でない。またゴルフボール回転時に、区画大円に沿ってディンプルパターンが同一でも等価でない球面正三角形が順次出現する。従って、回転によって出現するディンプルパターンが単調でなく、区画大円と最速部分とが一致したときのディンプル効果が高められる。よって、ゴルフボールの飛距離が増大し、また、最速部分の位置に依存した飛行性能のばらつきが抑制される。
【００１２】
好ましくは、１２本の区画線のいずれもがディンプルと交差する。これにより、区画大円と最速部分とが一致したときのディンプル効果がより向上する。
【００１３】
好ましくは、８個の球面正三角形のいずれにおいても、その内部のディンプルパターンは回転対称でなく、かつ線対称でもない。これにより、各球面正三角形内でのディンプルの配置が無秩序に近づき、ディンプル効果が高められる。
【００１４】
各球面正三角形の内側に配置されたディンプルの好ましい数は、４０個以上５５個以下である。これにより、優れたディンプル効果が発現され、ゴルフボール飛行性能が向上する。
【００１５】
８個の球面正三角形のうち、その内側に配置されたディンプルの数が最大である球面正三角形におけるディンプル数と、その内側に配置されたディンプルの数が最小である球面正三角形におけるディンプル数との差は、好ましくは４個以下である。これにより、ゴルフボールの空力的対称性が高められる。
【００１６】
好ましくは、区画線上にその中心が位置するディンプルは、全く存在しない。これにより、区画線と交差するディンプルがその区画線の両側の球面正三角形に不均等に存在することとなり、ディンプル効果がより高められる。
【００１７】
本発明は、３本の区画大円のうちの１本がシームと略一致するゴルフボールにも好適である。シームには、周囲のディンプルが切削により変形するおそれがあるという不都合が存在するが、回転によって出現するディンプルパターンが単調ではないので、シームと最速部分とが一致したときのディンプル効果低減が抑制される。
【００１８】
【発明の実施の形態】
以下、適宜図面が参照されつつ、本発明の実施形態が説明される。
【００１９】
図１は本発明の一実施形態にかかるゴルフボールが示された正面図であり、図２はその背面図である。このゴルフボールの直径は、通常４２．６７ｍｍから４３．００ｍｍ程度である。このゴルフボールは、表面に４０８個のディンプルを備えている。ディンプルの平面形状は円形である。
【００２０】
このゴルフボールのディンプルは、正八面体配置である。すなわち、球面に内接する正八面体が想定され、この正八面体の１２本の辺が投影された１２本の区画線によって球面が８個の球面正三角形に区画されている。図１にはＴ１からＴ４の４個の球面正三角形が示されている。また、図２には、Ｔ５からＴ８の４個の球面正三角形が示されている。ディンプルは、球面正三角形（Ｔ１からＴ８）毎に配置されている。４本の区画線が連続することで、Ｌ１からＬ３の３本の区画大円が形成されている。区画大円Ｌ３は、図１及び図２ではゴルフボールの輪郭と一致している。それぞれの区画大円（Ｌ１からＬ３）は、球面正三角形の頂点（Ｐ１からＰ６）にて、他の区画大円と直交している。これら頂点（Ｐ１からＰ６）は、想定された正八面体の頂点に相当する。なお、実際のゴルフボールでは、区画線及び区画大円（Ｌ１からＬ３）はエッジとしては認識されないが、説明の便宜上、図１及び図２では実線で画かれている。
【００２１】
図３は、球面正三角形Ｔ１が示された拡大図である。この球面正三角形Ｔ１は、直径が４．２ｍｍのＡディンプルを９個、直径が３．９５ｍｍのＢディンプルを２１個、直径が３．３ｍｍのＣディンプルを１５個及び直径が２．９５ｍｍのＤディンプルを６個含んでいる。合計のディンプル数は、５１個である。
【００２２】
本明細書で球面三角形に含まれるディンプルとは、例えば球面正三角形Ｔ１が例とされた場合、その中心が球面正三角形Ｔ１の内部に位置するディンプルを意味する。従って、ディンプルの一部分が球面正三角形Ｔ１に含まれていても、中心が他の球面正三角形に含まれるものは、球面正三角形Ｔ１に含まれるディンプルではない。球面正三角形Ｔ１の３本の区画線のいずれかの上に中心が位置するディンプルは、球面正三角形Ｔ１に含まれるディンプルであるとともに、隣接する球面正三角形にも含まれるディンプルである。球面正三角形Ｔ１に含まれるディンプルの数が算出される場合は、３本の区画線のいずれかの上に中心が位置するディンプルは０．５個とカウントされる。また、６個の頂点（Ｐ１からＰ６）のいずれかにその中心が位置するディンプルは、その頂点を共有する４個の球面正三角形のいずれにも含まれるディンプルとされ、各球面正三角形に含まれるディンプルの数が算出されるときは０．２５個とカウントされる。
【００２３】
図３から明らかなように、球面正三角形Ｔ１に含まれる５１個のディンプルのうち４個は、区画大円Ｌ１と交差している。また、他の４個は、区画大円Ｌ２と交差している。さらに他の４個は、区画大円Ｌ３と交差している。
【００２４】
球面正三角形Ｔ１のディンプルパターンは、頂点Ｐ１と球面正三角形Ｔ１の重心とを結ぶ大円Ｌ４に対して線対称でない。また、このディンプルパターンは、頂点Ｐ２と球面正三角形Ｔ１の重心とを結ぶ大円Ｌ５に対しても線対称でない。さらに、このディンプルパターンは、頂点Ｐ３と球面正三角形Ｔ１の重心とを結ぶ大円Ｌ６に対しても線対称でない。これらから明らかなように、このディンプルパターンを左右対称に区分する線は、全く存在しない。すなわち、球面正三角形Ｔ１の内部のディンプルパターンは線対称なものではない。
【００２５】
この球面正三角形Ｔ１のディンプルパターンが重心（大円Ｌ４、Ｌ５及びＬ６の交点でもある）を回転中心として回転されても、回転角度が３６０°に達する前には、全てのディンプルが回転前のディンプルと完全に重なることはない。すなわち、この球面正三角形Ｔ１の内部のディンプルパターンは、回転対称なものではない。
【００２６】
なお、球面正三角形Ｔ７のディンプルパターンも、図３に示された球面正三角形Ｔ１のディンプルパターンと同等である。以下、このディンプルパターンは符号（Ｉ）で示される。
【００２７】
図４は、球面正三角形Ｔ２が示された拡大図である。この球面正三角形Ｔ２は、直径が４．２ｍｍのＡディンプルを９個、直径が３．９５ｍｍのＢディンプルを２４個、直径が３．３ｍｍのＣディンプルを１２個及び直径が２．９５ｍｍのＤディンプルを６個含んでいる。合計のディンプル数は、５１個である。
【００２８】
図４から明らかなように、球面正三角形Ｔ２に含まれる５１個のディンプルのうち４個は、区画大円Ｌ１と交差している。また、他の４個は、区画大円Ｌ２と交差している。さらに他の４個は、区画大円Ｌ３と交差している。
【００２９】
球面正三角形Ｔ２のディンプルパターンは、頂点Ｐ１と球面正三角形Ｔ２の重心とを結ぶ大円Ｌ７に対して線対称でない。また、このディンプルパターンは、頂点Ｐ３と球面正三角形Ｔ２の重心とを結ぶ大円Ｌ８に対しても線対称でない。さらに、このディンプルパターンは、頂点Ｐ４と球面正三角形Ｔ２の重心とを結ぶ大円Ｌ５に対しても線対称でない。これらから明らかなように、このディンプルパターンを左右対称に区分する線は、全く存在しない。すなわち、球面正三角形Ｔ２の内部のディンプルパターンは線対称なものではない。
【００３０】
この球面正三角形Ｔ２のディンプルパターンが重心（大円Ｌ７、Ｌ８及びＬ５の交点でもある）を回転中心として回転されても、回転角度が３６０°に達する前には、全てのディンプルが回転前のディンプルと完全に重なることはない。すなわち、この球面正三角形Ｔ２の内部のディンプルパターンは、回転対称なものではない。
【００３１】
なお、球面正三角形Ｔ８のディンプルパターンも、図４に示された球面正三角形Ｔ２のディンプルパターンと同等である。以下、このディンプルパターンは符号（II）で示される。
【００３２】
図５は、球面正三角形Ｔ３が示された拡大図である。この球面正三角形Ｔ３は、直径が４．２ｍｍのＡディンプルを９個、直径が３．９５ｍｍのＢディンプルを２４個、直径が３．３ｍｍのＣディンプルを１２個及び直径が２．９５ｍｍのＤディンプルを６個含んでいる。合計のディンプル数は、５１個である。
【００３３】
図５から明らかなように、球面正三角形Ｔ３に含まれる５１個のディンプルのうち４個は、区画大円Ｌ１と交差している。また、他の４個は、区画大円Ｌ２と交差している。さらに他の４個は、区画大円Ｌ３と交差している。
【００３４】
球面正三角形Ｔ３のディンプルパターンは、頂点Ｐ１と球面正三角形Ｔ３の重心とを結ぶ大円Ｌ４に対して線対称でない。また、このディンプルパターンは、頂点Ｐ４と球面正三角形Ｔ３の重心とを結ぶ大円Ｌ９に対しても線対称でない。さらに、このディンプルパターンは、頂点Ｐ５と球面正三角形Ｔ３の重心とを結ぶ大円Ｌ８に対しても線対称でない。これらから明らかなように、このディンプルパターンを左右対称に区分する線は、全く存在しない。すなわち、球面正三角形Ｔ３の内部のディンプルパターンは線対称なものではない。
【００３５】
この球面正三角形Ｔ３のディンプルパターンが重心（大円Ｌ４、Ｌ９及びＬ８の交点でもある）を回転中心として回転されても、回転角度が３６０°に達する前には、全てのディンプルが回転前のディンプルと完全に重なることはない。すなわち、この球面正三角形Ｔ３の内部のディンプルパターンは、回転対称なものではない。
【００３６】
なお、球面正三角形Ｔ５のディンプルパターンも、図５に示された球面正三角形Ｔ３のディンプルパターンと同等である。以下、このディンプルパターンは符号（III)で示される。
【００３７】
図６は、球面正三角形Ｔ４が示された拡大図である。この球面正三角形Ｔ４は、直径が４．２ｍｍのＡディンプルを９個、直径が３．９５ｍｍのＢディンプルを２１個、直径が３．３ｍｍのＣディンプルを１５個及び直径が２．９５ｍｍのＤディンプルを６個含んでいる。合計のディンプル数は、５１個である。
【００３８】
図６から明らかなように、球面正三角形Ｔ４に含まれる５１個のディンプルのうち４個は、区画大円Ｌ１と交差している。また、他の４個は、区画大円Ｌ２と交差している。さらに他の４個は、区画大円Ｌ３と交差している。
【００３９】
球面正三角形Ｔ４のディンプルパターンは、頂点Ｐ１と球面正三角形Ｔ４の重心とを結ぶ大円Ｌ７に対して線対称でない。また、このディンプルパターンは、頂点Ｐ５と球面正三角形Ｔ４の重心とを結ぶ大円Ｌ６に対しても線対称でない。さらに、このディンプルパターンは、頂点Ｐ２と球面正三角形Ｔ４の重心とを結ぶ大円Ｌ９に対しても線対称でない。これらから明らかなように、このディンプルパターンを左右対称に区分する線は、全く存在しない。すなわち、球面正三角形Ｔ４の内部のディンプルパターンは線対称なものではない。
【００４０】
この球面正三角形Ｔ４のディンプルパターンが重心（大円Ｌ７、Ｌ６及びＬ９の交点でもある）を回転中心として回転されても、回転角度が３６０°に達する前には、全てのディンプルが回転前のディンプルと完全に重なることはない。すなわち、この球面正三角形Ｔ４の内部のディンプルパターンは、回転対称なものではない。
【００４１】
なお、球面正三角形Ｔ６のディンプルパターンも、図６に示された球面正三角形Ｔ４のディンプルパターンと同等である。以下、このディンプルパターンは符号（IV）で示される。
【００４２】
ディンプルパターン（Ｉ）から（IV）は、互いに異なっている（同一でない）。すなわち、ディンプルパターン（Ｉ）から（IV）のいずれかが他のディンプルパターンといかように重ねられても、互いのディンプル全てが完全に重なり合うことはない。
【００４３】
図７は、図１のゴルフボールが示された斜視図である。この図には、球面正三角形Ｔ１、Ｔ２、Ｔ３、Ｔ４、Ｔ５及びＴ６が示されている。図示されていないが、球面正三角形Ｔ７は球面正三角形Ｔ２の真裏に位置しており、球面正三角形Ｔ８は球面正三角形Ｔ１の真裏に位置している。
【００４４】
頂点Ｐ３の回りには、この頂点を共有する４個の球面正三角形Ｔ１、Ｔ２、Ｔ３及びＴ４が存在する。これらのディンプルパターンは、前述のように（Ｉ）、（II）、（III)及び（IV）である。すなわち、頂点Ｐ３を共有する４個の球面正三角形Ｔ１、Ｔ２、Ｔ３及びＴ４のディンプルパターンは同一でない。頂点Ｐ６の回りには、この頂点を共有する４個の球面正三角形Ｔ５、Ｔ６、Ｔ２及びＴ１が存在する。これらのディンプルパターンは、前述のように（III)、（IV）、（Ｉ)及び（II）である。すなわち、頂点Ｐ６を共有する４個の球面正三角形Ｔ５、Ｔ６、Ｔ２及びＴ１のディンプルパターンは同一でない。図７には示されていないが、頂点Ｐ１、Ｐ２、Ｐ４及びＰ５に関しても、各頂点を共有する４個の球面正三角形のディンプルパターンは同一でない。
【００４５】
球面正三角形Ｔ１と球面正三角形Ｔ２とは、区画線１を共有している。前述のように、球面正三角形Ｔ１はディンプルパターン（Ｉ）を有しており、球面正三角形Ｔ２はディンプルパターン（II）を有している。従って、球面正三角形Ｔ１のディンプルパターンと球面正三角形Ｔ２のディンプルパターンとは、区画線１に対して線対称ではない。また、球面正三角形Ｔ１のディンプルパターンと球面正三角形Ｔ２のディンプルパターンとは、区画線１の中点Ｏに対して点対称でもない。本明細書では、区画線を共有する２個の球面正三角形のディンプルパターンがこの区画線に対して線対称でなく、また、この区画線の中点に対して点対称でもない状態は、「両ディンプルパターンが等価でない」と称される。
【００４６】
球面正三角形Ｔ１と球面正三角形Ｔ４とは、区画線２を共有している。前述のように、球面正三角形Ｔ１はディンプルパターン（Ｉ）を有しており、球面正三角形Ｔ４はディンプルパターン（IV）を有している。従って、球面正三角形Ｔ１のディンプルパターンと球面正三角形Ｔ４のディンプルパターンとは、区画線２に対して線対称ではない。また、球面正三角形Ｔ１のディンプルパターンと球面正三角形Ｔ４のディンプルパターンとは、区画線２の中点Ｏ’に対して点対称でもない。すなわち、球面正三角形Ｔ１のディンプルパターンと球面正三角形Ｔ４のディンプルパターンとは、等価でない。
【００４７】
球面正三角形Ｔ１と球面正三角形Ｔ５とは、区画線３を共有している。前述のように、球面正三角形Ｔ１はディンプルパターン（Ｉ）を有しており、球面正三角形Ｔ５はディンプルパターン（III)を有している。従って、球面正三角形Ｔ１のディンプルパターンと球面正三角形Ｔ５のディンプルパターンとは、区画線３に対して線対称ではない。また、球面正三角形Ｔ１のディンプルパターンと球面正三角形Ｔ５のディンプルパターンとは、区画線３の中点Ｏ''に対して点対称でもない。すなわち、球面正三角形Ｔ１のディンプルパターンと球面正三角形Ｔ５のディンプルパターンとは、等価でない。
【００４８】
球面正三角形Ｔ１と球面正三角形Ｔ３とは、頂点Ｐ３を共有して対峙している。前述のように、球面正三角形Ｔ１はディンプルパターン（Ｉ）を有しており、球面正三角形Ｔ３はディンプルパターン（III)を有している。従って、球面正三角形Ｔ１のディンプルパターンと球面正三角形Ｔ３のディンプルパターンとは、頂点Ｐ３に対して点対称ではない。また、球面正三角形Ｔ１のディンプルパターンと球面正三角形Ｔ３のディンプルパターンとは、頂点Ｐ３を通過するいかなる直線に対しても線対称でない。本明細書では、頂点を共有して対峙する２個の球面正三角形のディンプルパターンがこの頂点に対して点対称でなく、また、この頂点を通過するいかなる直線に対しても線対称でもない状態も、「両ディンプルパターンが等価でない」と称される。
【００４９】
球面正三角形Ｔ１と球面正三角形Ｔ６とは、頂点Ｐ６を共有して対峙している。前述のように、球面正三角形Ｔ１はディンプルパターン（Ｉ）を有しており、球面正三角形Ｔ６はディンプルパターン（IV）を有している。従って、球面正三角形Ｔ１のディンプルパターンと球面正三角形Ｔ６のディンプルパターンとは、頂点Ｐ６に対して点対称ではない。また、球面正三角形Ｔ１のディンプルパターンと球面正三角形Ｔ６のディンプルパターンとは、頂点Ｐ６を通過するいかなる直線に対しても線対称でない。すなわち、すなわち、球面正三角形Ｔ１のディンプルパターンと球面正三角形Ｔ６のディンプルパターンとは、等価でない。
【００５０】
区画大円Ｌ２が最速部分と一致し、ゴルフボールが図７において下から上向きに回転している場合において、区画大円Ｌ２の右側において球面正三角形Ｔ１が正面に出現する直前には、区画大円Ｌ２の右側において球面正三角形Ｔ４が正面に出現し、区画大円Ｌ２の左側において球面正三角形Ｔ３が正面に出現する。また、区画大円Ｌ２の右側において球面正三角形Ｔ１が正面に出現するときは、区画大円Ｌ２の左側において球面正三角形Ｔ２が正面に出現する。さらに、区画大円Ｌ２の右側において球面正三角形Ｔ１が正面に出現した直後には、区画大円Ｌ２の右側において球面正三角形Ｔ５が正面に出現し、区画大円Ｌ２の左側において球面正三角形Ｔ６が正面に出現する。
【００５１】
このように、球面正三角形Ｔ１が正面に出現する直前から出現した直後にかけて正面に出現する他の球面正三角形は、Ｔ４、Ｔ３、Ｔ２、Ｔ５びＴ６である。これらの球面正三角形のディンプルパターンは、球面正三角形Ｔ１のディンプルパターンと同一でなく、かつ等価でない。このような状態は、本明細書では、「回転によって出現するディンプルパターンが単調でない」と称される。
【００５２】
上記の考察は、球面正三角形Ｔ１を中心的にしてなされたが、本発明のゴルフボールでは、回転によって出現するディンプルパターンが単調でないことが、他の球面正三角形（Ｔ２からＴ８）のいずれが中心的とされて考察された場合にも達成される。また、本発明のゴルフボールでは、回転によって出現するディンプルパターンが単調でないことが、いずれの区画大円Ｌ１、Ｌ２、Ｌ３が最速部分と一致した場合にも達成される。これにより、区画大円Ｌ１、Ｌ２、Ｌ３と最速部分とが一致した場合のディンプル効果が高められる。
【００５３】
このゴルフボールでは、前述のように、１２の区画線のいずれもが、その一方側の球面正三角形に含まれる４個のディンプルと交差しており、他方側の球面正三角形に含まれる４個のディンプルとも交差している。交差により、区画大円上にディンプルが存在しない広面積な領域が発生することが防がれ、区画大円Ｌ１、Ｌ２、Ｌ３と最速部分とが一致した場合のディンプル効果がより高められる。この交差数は４個には限られないが、２個以上、特には４個以上が好ましい。
【００５４】
前述のように、各球面正三角形（Ｔ１からＴ８）の内部のディンプルパターン、すなわちディンプルパターン（Ｉ）、（II）、（III)及び（IV）は、それ自身回転対称でなく、また、線対称でもない。これにより、ゴルフボール飛行時の空気の乱れが促進され、ゴルフボールの飛行性能が向上する。
【００５５】
このゴルフボールの各球面正三角形（Ｔ１からＴ８）には、ディンプルが５１個ずつ配置されているが、配置されるディンプルの数は適宜変更されうる。好ましいディンプル数は、４０個以上５５個以下である。ディンプル数が４０個未満であると、ゴルフボールの表面にディンプル以外の部分（ランド部）が多くなり、ディンプル効果が低下してゴルフボールの飛行性能が不十分となってしまうことがある。逆に、ディンプル数が５５個を越えると、個々のディンプルが小さくなってしまい、ディンプル効果が低下してゴルフボールの飛行性能が不十分となってしまうことがある。
【００５６】
各球面正三角形（Ｔ１からＴ８）間で、配置されるディンプル数が異なってもよい。但し、空力的対称性を維持する観点からは、その内側に配置されたディンプルの数が最大である球面正三角形におけるディンプル数と、その内側に配置されたディンプルの数が最小である球面正三角形におけるディンプル数との差は４個以下が好ましく、３個以下が特に好ましく、２個以下がさらに好ましく、差がないことが理想的である。また、各球面正三角形（Ｔ１からＴ８）間で、種類毎のディンプル数もなるべく統一されるのが好ましい。なお、種類毎のディンプルの数が異なる場合でも、その数が異なるディンプル同士の直径差が０．７５ミリメートル以下とされるのが好ましい。
【００５７】
このゴルフボールには、区画線上にその中心が位置するディンプルは、全く存在していない。すなわち、区画線と交差するディンプルは、その区画線の両側の球面正三角形に不均等に存在している。これにより、区画大円Ｌ１、Ｌ２、Ｌ３と最速部分とが一致した場合のディンプル効果がより高められる。
【００５８】
３本の区画大円Ｌ１、Ｌ２、Ｌ３のうちの１本は、シームと略一致してもよい。シームには、周囲のディンプルがバリの切削により変形するおそれがあるという不都合が存在するが、回転によって出現するディンプルパターンが単調ではないので、シームと最速部分とが略一致したときのディンプル効果低減が抑制される。
【００５９】
なお、回転によって出現するディンプルパターンが単調でないことが、区画大円Ｌ１、Ｌ２、Ｌ３が球面のいずれの位置に想定された場合でも達成されるのが、ゴルフボール空力特性向上の観点から好ましい。
【００６０】
このゴルフボールでは、前述のように、球面正三角形Ｔ１と球面正三角形Ｔ７とがともにディンプルパターン（Ｉ）を備えている。この球面正三角形Ｔ１と球面正三角形Ｔ７とは、ゴルフボールの球中心に対して対称に位置している。すなわち、球面正三角形Ｔ１が正面に位置しているときは、背面にこれと同じディンプルパターンを備えた球面正三角形Ｔ７が位置する。同様に、球面正三角形Ｔ２が正面に位置したときはこれと同一のディンプルパターン（II）を備えた球面正三角形Ｔ８が背面に位置し、球面正三角形Ｔ３が正面に位置したときはこれと同一のディンプルパターン（III)を備えた球面正三角形Ｔ５が背面に位置し、球面正三角形Ｔ４が正面に位置したときはこれと同一のディンプルパターン（IV）を備えた球面正三角形Ｔ６が背面に位置する。これにより、正八面体配置されたゴルフボールならではの対称性の良さが維持される。
【００６１】
【実施例】
以下、実施例に基づいて本発明の効果が明らかにされるが、この実施例の記載に基づいて本発明が限定的に解釈されるべきではないことはもちろんである。
【００６２】
［実施例］
ソリッドゴムからなるコア層の周りにアイオノマー樹脂組成物を射出成形してカバー層を形成し、ディンプルパターンが図１から図７に示された正八面体配置である実施例のゴルフボールを得た。射出成形時の金型のパーティングラインは凹凸状であるが、その位置を区画大円Ｌ１とほぼ一致させた。ボールの外径は４２．７０ｍｍ±０．０３ｍｍであり、コンプレッションは９０±２であり、ディンプル容積（ディンプルエッジを含む平面とディンプル表面との間の容積）の総和は約３２０ｍｍ２であった。
【００６３】
［比較例］
正八面体配置であり、８個の球面正三角形全てのディンプルパターンが同一であり、区画大円Ｌ１、Ｌ２、Ｌ３が大円帯であるゴルフボールを作製し、比較例とした。このゴルフボールの正面図が、図８に示されている。このゴルフボールでは、各球面正三角形内のディンプルパターンが、それ自身回転対称であり、かつ線対称である。なお、このゴルフボールの背面図も、図９と同一である。
【００６４】
［対称性テスト］
実施例及び比較例のゴルフボールを、それぞれ１２０個ずつ用意した。一方、ツルテンパー社製のスイングロボットにメタルヘッド製のドライバー（Ｗ１）を取り付け、ヘッド速度が約４９ｍ／ｓ、打ち出し角度が約１１°、バックスピンの回転速度が約３０００ｒｐｍとなるように、マシン条件を調整した。そして、各ゴルフボールを打撃し、キャリー（発射地点から落下地点までの距離）とトータル飛距離（発射地点から静止地点までの距離）とを測定した。打撃に際しては、区画大円Ｌ１が最速部分と一致する打ち方、区画大円Ｌ２が最速部分と一致する打ち方、区画大円Ｌ３が最速部分と一致する打ち方、頂点Ｐ１と球面正三角形Ｔ１の重心とを通過する大円Ｌ４が最速部分と一致する打ち方、頂点Ｐ２と球面正三角形Ｔ１の重心とを通過する大円Ｌ５が最速部分と一致する打ち方及び頂点Ｐ３と球面正三角形Ｔ１の重心とを通過する大円Ｌ６が最速部分と一致する打ち方の６通りとし、それぞれの打ち方毎に２０個ずつのゴルフボールを打撃した。測定結果の平均値が、下記の表１に示されている。なお、テスト中の風はほぼ追い風で、平均風速は約１ｍ／ｓであった。
【００６５】
【表１】
0004398071.tif 000002
【００６６】
表１において、実施例のゴルフボールでは、比較例のゴルフボールに比べて、打ち方の違いによるキャリー及びトータル飛距離の差が少ない。また、実施例のゴルフボールのキャリー及びトータル飛距離の平均は、比較例のゴルフボールに比べて大きい。この評価結果から、本発明の優位性が明らかにされた。
【００６７】
【発明の効果】
以上説明されたように、本発明のゴルフボールでは、区画大円が最速部分と一致したときのディンプル効果の低減が抑制される。このゴルフボールは、飛距離と空力的対称性とに優れたものである。
【図面の簡単な説明】
【図１】図１は、本発明の一実施形態にかかるゴルフボールが示された正面図である。
【図２】図２は、図１のゴルフボールが示された背面図である。
【図３】図３は、図１のゴルフボールの球面正三角形Ｔ１が示された拡大図である。
【図４】図４は、図１のゴルフボールの球面正三角形Ｔ２が示された拡大図である。
【図５】図５は、図１のゴルフボールの球面正三角形Ｔ３が示された拡大図である。
【図６】図６は、図１のゴルフボールの球面正三角形Ｔ４が示された拡大図である。
【図７】図７は、図１のゴルフボールが示された斜視図である。
【図８】図８は、比較例のゴルフボールが示された正面図である。
【符号の説明】
１、２、３・・・区画線
Ｐ１からＰ６・・・頂点
Ｔ１からＴ８・・・球面正三角形
Ｌ１からＬ３・・・区画大円
Ａ・・・Ａディンプル
Ｂ・・・Ｂディンプル
Ｃ・・・Ｃディンプル
Ｄ・・・Ｄディンプル
【図１】
0004398071.tif 000003
【図２】
0004398071.tif 000004
【図３】
0004398071.tif 000005
【図４】
0004398071.tif 000006
【図５】
0004398071.tif 000007
【図６】
0004398071.tif 000008
【図７】
0004398071.tif 000009
【図８】
0004398071.tif 000010